(57)【要約】【課題】嵌入式組合せ固定のブリッジ装置の提供。【解決手段】舌側クラウンと頬側クラウンで組成され、欠歯両側の自然歯態様との組合せを利用して欠歯部分に装着され、頬側クラウンの両端に欠歯両側の自然歯態様に符合する延伸翼部が設けられて欠歯両側の自然歯の内側面に当接され、舌側クラウンは欠歯両側の自然歯の舌側面の近心面と遠心面及び舌側面と噛み合わせ面を利用して形成され、固定ネジで二つの舌側クラウンと頬側クラウンがネジ止めされ、両者がしっかりと自然歯に結合されて脱落防止され、且つブリッジ取り付けの過程で大幅に欠歯部分両側の自然歯を削らずにすみ、取り付け過程が簡易で手間取らず歯根局部麻酔が不要で、患者が長時間ブリッジ製作を待たずにすみ、製作コストが低く、テンポラリーブリッジ装着の必要がなく、患者に痛みを与えず、患者の快適感を増しブリッジ装置交換を容易とする。【選択図】　　　　図２
2004049915.tif 000002
【特許請求の範囲】
【請求項１】
嵌入式組合せ固定のブリッジ装置において、舌側クラウンと頬側クラウンが組み合わされて形成され、該舌側クラウンに少なくとも一つのアンダカットと結合部が設けられ、該アンダカットが凹部に形成され、該アンダカットが患者の欠歯両側の自然歯の口腔舌側の自然歯の局部形態に対応するよう形成され、且つ該舌側クラウンのアンダカット外形の上端面に自然歯の歯面に対応して咬合面が形成され、該アンダカットが径方向の支持を形成すると共に左右の套設部を形成し、該舌側クラウンに組み合わされる頬側クラウンに位置決め溝が設けられ、該頬側クラウンの両側に、欠歯両側の自然歯の内側歯端面に対応し当接する翼部が一体に形成され、且つ舌側クラウンの結合部と頬側クラウンの位置決め溝が嵌合されて口腔内の欠歯及びその両側の自然歯部分に嵌合され、舌側クラウンと頬側クラウンの組合せが垂直方向或いは内側から外側にネジで固定されたことを特徴とする、嵌入式組合せ固定のブリッジ装置。
【請求項２】
請求項１記載の嵌入式組合せ固定のブリッジ装置において、舌側クラウンに設けられたアンダカットが欠歯両側の自然歯両側の舌側面及び近心面及び遠心面及び咬合面を被覆するよう形成され、頬側クラウンが係止状のアンダカットに形成されると共に、該頬側クラウンに、欠歯両側の自然歯の内側の近心面と遠心面に対応する翼部と位置決め溝が形成され、該翼部が自然歯の頬側面の両側下端に沿って当接し、並びにこのアンダカットと翼部により頬側クラウンの舌側面への移動或いは上向きの移動が不能とされ、舌側クラウンと頬側クラウンがネジで組み合わされたことを特徴とする、嵌入式組合せ固定のブリッジ装置。
【請求項３】
嵌入式組合せ固定のブリッジ装置において、少なくとも一つの舌側クラウンと、少なくとも一つの頬側クラウンで組成され、
該少なくとも一つの舌側クラウンに、一体にアンダカットと結合部が形成され、該アンダカットと結合部が隣り合うよう連結され、該アンダカットが欠歯両側の自然歯に套設され、且つ該結合部にネジ孔が設けられ、
該少なくとも一つの頬側クラウンは、欠歯の部分に取り付けられ、両側部分に一体に位置決め溝が形成され各位置決め溝にネジ孔が設けられて舌側クラウンの結合部のネジ孔に対応しネジによる固定に供され、且つ頬側クラウンの両端よりそれぞれ一体に翼部が延伸され、該翼部が欠歯両側の自然歯内側端面に当接し、頬側クラウンが自然歯に当接し、且つ舌側クラウンと頬側クラウンが組み合わされて、該結合部が該位置決め溝内に挿入され、並びにネジで舌側クラウンと頬側クラウンのネジ孔が固定され、舌側クラウンと頬側クラウンが強固に自然歯に固定されることを特徴とする、嵌入式組合せ固定のブリッジ装置。
【請求項４】
請求項１又は請求項３記載の嵌入式組合せ固定のブリッジ装置において、舌側クラウンがそのアンダカットに係止突出部を具えたアンダカットと結合部が順に一体に形成され、このアンダカットの係止突出部に対応する自然歯に係止凹溝が形成され、組合せ時に、係止突出部を具えたアンダカットの該係止突出部と自然歯の係止凹溝の係合と、ネジ孔を具えた結合部と頬側クラウンの位置決め溝との嵌合、及びネジによる結合部と位置決め溝のネジ孔の内から外への固定に、頬側クラウンの翼部の欠歯両側の自然歯に対する当接が組み合わされ、舌側クラウンと頬側クラウンが強固に自然歯に結合されることを特徴とする、嵌入式組合せ固定のブリッジ装置。
【請求項５】
請求項１又は請求項３記載の嵌入式組合せ固定のブリッジ装置において、舌側クラウンの結合部の一端に順に一体に必要な数のアンダカットが形成され、頬側クラウンの両端に翼部が形成され、該翼部が欠歯両側の自然歯に当接し、且つ両側に近い部分に形成された位置決め溝が連通して単一位置決め溝とされ、組合せ時に、各アンダカットが各自然歯に套設され、頬側クラウンが単一位置決め溝により結合部を挟持し、ネジによる固定の下で、頬側クラウンの翼部が欠歯両側の自然歯に当接し並びに舌側クラウンと頬側クラウンが強固に自然歯に結合されることを特徴とする、嵌入式組合せ固定のブリッジ装置。
【請求項６】
請求項１又は請求項３記載の嵌入式組合せ固定のブリッジ装置において、舌側クラウンの一つのアンダカット内縁に一体に係止突出部が形成され、該アンダカットの係止突出部に対応する係止凹溝が対応する自然歯に形成され、該係止突出部と係止凹溝の係合により自然歯との結合が強化されたことを特徴とする、嵌入式組合せ固定のブリッジ装置。
【請求項７】
請求項１又は請求項３記載の嵌入式組合せ固定のブリッジ装置において、舌側クラウンの一端のアンダカットに設けられた結合部がアンダカットと一体に形成され、該結合部が頬側クラウンの位置決め溝と連結されることを特徴とする、嵌入式組合せ固定のブリッジ装置。
【発明の詳細な説明】
【０００１】
【発明の属する技術分野】
本発明は一種の嵌入式組合せ固定のブリッジ装置に係り、特に、舌側と頬側方向よりクラウン装置が組み合わされ、伝統的なブリッジに採用された平行套設装置とは異なり、ゆえに欠歯両側の自然歯が逆凹形或いは凹形或いは厳重に傾斜する臼歯のいずれであっても、本発明により優れたブリッジ取り付け効果を形成でき、欠歯患者に優れた、先進の、及び便利な実用性を提供する嵌入式組合せ固定のブリッジ装置に関する。
【０００２】
【従来の技術】
現在歯科医師にとって、単一の歯（例えば臼歯）が損壊してブリッジを取り付ける時は、図１に示されるように、周知のブリッジ固定技術を運用し、まずブリッジ両側（或いは単側）の自然歯１０（即ち未損壊の歯）を大幅に削り平行或いは双斜面の状態となし、主義歯１１及び補助クラウン１２を削った自然歯にかぶせる。図示されるように、この補助義歯は大幅に削った自然歯にかぶせられる。このような周知の技術の過程から分かるように、ブリッジ固定の技術或いはブリッジ装置の取り付け設計には大きな欠点があり、改善が求められている。例えば、
１．損壊した欠歯は一つだけであるのに、ブリッジを取り付けるために欠歯の両側或いは片側の健康な自然歯を大幅に削らなければならず、自然歯を削るためには局部麻酔手術が必要で、患者に恐怖を与えるほか自然歯の有する強度を損ない、歯科医師にとっては長時間の研磨製作に体力と技術が求められる。
２．ブリッジ取り付け治療中、欠歯の隣の自然歯を削った後にすぐブリッジ１１を取り付けられるわけではなく、先ず歯型を製作して、歯型でブリッジを製作しなければならず、歯型とブリッジの製作に時間がかかり、且つその期間にテンポラリーのブリッジを装着しなければならず、削りすぎた自然歯は外見が悪いだけでなく、食物を咀嚼する時に傷害を受ける恐れがあり、ブリッジと自然歯の損壊を形成した。
３．従来より主義歯１１の製作時は補助クラウン１２が共に製作され、ブリッジ製作のコストが高い。
４．ブリッジ製作過程が冗長で且つブリッジの取り付けが自然歯を破壊しうるため、患者はブリッジが完成する前に欠歯部分に隣接する自然歯が長時間の間に欠損したり変形したりしないかと心配し、またブリッジ取り付けまでの時間が長く、価格が高い問題もある。
【０００３】
また、既に削る必要なく固定できるブリッジが特許文献１に記載され、ブリッジの頬側と舌側に環状ホルダが設けられ、さらにネジを利用して固定される。しかし、この方式は舌側と頬側に単一の環状ホルダが採用されているだけで環状ホルダの位置固定の作用がなく、且つ二つの環状ホルダがネジで外から内に両側の自然歯に固定される。ゆえに、その固定方式はネジに依存するだけで、咬合力の分散作用はなく、咬合力が二つの環状ホルダを固定するネジに集中する。環状ホルダが上下に垂直方向の位置固定効果がなく、ゆえにネジが上顎と下顎の咬合によりゆるむと、環状ホルダが脱落したり陥没して歯周膜周辺、歯根靱帯及び歯肉に傷害を与える恐れがある。且つ環状ホルダは舌側、頬側の前後から挟持するため環状ホルダがブリッジの両側の自然歯の頬側と舌側の端面より突出し、明らかに患者のもともとの自然歯とは異なる状態となり、上顎及び舌と舌側と頬側のブリッジが不当に接触し、外観が悪くなる。且つブリッジが前後より自然歯を挟持し並びに歯の間隙が設置されないため、患者が舌頭で口腔内を自浄することができず、溜まった食物の残さが異臭を発生する。さらにブリッジが装着されることで使用者の舌側と頬側と歯牙の接触形態が変化してしまい、舌側、頬側の傷害を形成する恐れがある。ゆえにこの装置は臨床に使用できない。また、特許文献２には残歯根装置が記載され、それは歯根が残留している場合に応用され、残留歯根に義歯を植え込み、さらにネジで固定する。それは自然歯の側面を破壊すると共にネジに結合力が集中し、自然歯と残留歯のいずれをも破壊するため、理想的な方式ではない。
【０００４】
【特許文献１】
台湾実用新案公告第１２１９８０号明細書
【特許文献２】
ＰＣＴ　公告第ＷＯ９９／０９９０９号明細書
【０００５】
【発明が解決しようとする課題】
本発明の主要な目的は、一種の嵌入式組合せ固定のブリッジ装置を提供することにあり、それは、舌側クラウンと頬側クラウンの組合せにより患者の欠歯部分に装着され、頬側クラウンの両端に欠歯両側の自然歯の態様に合わせて翼部が形成されて該翼部が自然歯両側に当接し、舌側クラウンは欠歯両側の自然歯の舌側面、近心面、遠心面、咬合面に合わせて形成されたアンダカットを具え、ネジが舌側クラウンと頬側クラウンにねじ込まれて舌側クラウンと頬側クラウンが固定され、舌側クラウンと頬側クラウンが強固に自然歯に結合されて脱落防止され、従来の、大量に自然歯を削った後に套設する欠点を解決するものとする。
【０００６】
本発明の次の目的は、一種の嵌入式組合せ固定のブリッジ装置を提供することにあり、それは、ブリッジ取り付けの過程で、欠歯両側の自然歯を大幅に削る必要がなく、取り付けが簡易であり、取り付け時間が短く、局部麻酔が不要で長時間テンポラリーブリッジを装着する必要がなく、患者に痛みを与えず、簡単な義歯製作技術及び装置とされるものとする。
【０００７】
【課題を解決するための手段】
請求項１の発明は、嵌入式組合せ固定のブリッジ装置において、舌側クラウンと頬側クラウンが組み合わされて形成され、該舌側クラウンに少なくとも一つのアンダカットと結合部が設けられ、該アンダカットが凹部に形成され、該アンダカットが患者の欠歯両側の自然歯の口腔舌側の自然歯の局部形態に対応するよう形成され、且つ該舌側クラウンのアンダカット外形の上端面に自然歯の歯面に対応して咬合面が形成され、該アンダカットが径方向の支持を形成すると共に左右の套設部を形成し、該舌側クラウンに組み合わされる頬側クラウンに位置決め溝が設けられ、該頬側クラウンの両側に、欠歯両側の自然歯の内側歯端面に対応し当接する翼部が一体に形成され、且つ舌側クラウンの結合部と頬側クラウンの位置決め溝が嵌合されて口腔内の欠歯及びその両側の自然歯部分に嵌合され、舌側クラウンと頬側クラウンの組合せが垂直方向或いは内側から外側にネジで固定されたことを特徴とする、嵌入式組合せ固定のブリッジ装置としている。
請求項２の発明は、請求項１記載の嵌入式組合せ固定のブリッジ装置において、舌側クラウンに設けられたアンダカットが欠歯両側の自然歯両側の舌側面及び近心面及び遠心面及び咬合面を被覆するよう形成され、頬側クラウンが係止状のアンダカットに形成されると共に、該頬側クラウンに、欠歯両側の自然歯の内側の近心面と遠心面に対応する翼部と位置決め溝が形成され、該翼部が自然歯の頬側面の両側下端に沿って当接し、並びにこのアンダカットと翼部により頬側クラウンの舌側面への移動或いは上向きの移動が不能とされ、舌側クラウンと頬側クラウンがネジで組み合わされたことを特徴とする、嵌入式組合せ固定のブリッジ装置としている。
請求項３の発明は、嵌入式組合せ固定のブリッジ装置において、少なくとも一つの舌側クラウンと、少なくとも一つの頬側クラウンで組成され、
該少なくとも一つの舌側クラウンに、一体にアンダカットと結合部が形成され、該アンダカットと結合部が隣り合うよう連結され、該アンダカットが欠歯両側の自然歯に套設され、且つ該結合部にネジ孔が設けられ、
該少なくとも一つの頬側クラウンは、欠歯の部分に取り付けられ、両側部分に一体に位置決め溝が形成され各位置決め溝にネジ孔が設けられて舌側クラウンの結合部のネジ孔に対応しネジによる固定に供され、且つ頬側クラウンの両端よりそれぞれ一体に翼部が延伸され、該翼部が欠歯両側の自然歯内側端面に当接し、頬側クラウンが自然歯に当接し、且つ舌側クラウンと頬側クラウンが組み合わされて、該結合部が該位置決め溝内に挿入され、並びにネジで舌側クラウンと頬側クラウンのネジ孔が固定され、舌側クラウンと頬側クラウンが強固に自然歯に固定されることを特徴とする、嵌入式組合せ固定のブリッジ装置としている。
請求項４の発明は、請求項１又は請求項３記載の嵌入式組合せ固定のブリッジ装置において、舌側クラウンがそのアンダカットに係止突出部を具えたアンダカットと結合部が順に一体に形成され、このアンダカットの係止突出部に対応する自然歯に係止凹溝が形成され、組合せ時に、係止突出部を具えたアンダカットの該係止突出部と自然歯の係止凹溝の係合と、ネジ孔を具えた結合部と頬側クラウンの位置決め溝との嵌合、及びネジによる結合部と位置決め溝のネジ孔の内から外への固定に、頬側クラウンの翼部の欠歯両側の自然歯に対する当接が組み合わされ、舌側クラウンと頬側クラウンが強固に自然歯に結合されることを特徴とする、嵌入式組合せ固定のブリッジ装置としている。
請求項５の発明は、請求項１又は請求項３記載の嵌入式組合せ固定のブリッジ装置において、舌側クラウンの結合部の一端に順に一体に必要な数のアンダカットが形成され、頬側クラウンの両端に翼部が形成され、該翼部が欠歯両側の自然歯に当接し、且つ両側に近い部分に形成された位置決め溝が連通して単一位置決め溝とされ、組合せ時に、各アンダカットが各自然歯に套設され、頬側クラウンが単一位置決め溝により結合部を挟持し、ネジによる固定の下で、頬側クラウンの翼部が欠歯両側の自然歯に当接し並びに舌側クラウンと頬側クラウンが強固に自然歯に結合されることを特徴とする、嵌入式組合せ固定のブリッジ装置としている。
請求項６の発明は、請求項１又は請求項３記載の嵌入式組合せ固定のブリッジ装置において、舌側クラウンの一つのアンダカット内縁に一体に係止突出部が形成され、該アンダカットの係止突出部に対応する係止凹溝が対応する自然歯に形成され、該係止突出部と係止凹溝の係合により自然歯との結合が強化されたことを特徴とする、嵌入式組合せ固定のブリッジ装置としている。
請求項７の発明は、請求項１又は請求項３記載の嵌入式組合せ固定のブリッジ装置において、舌側クラウンの一端のアンダカットに設けられた結合部がアンダカットと一体に形成され、該結合部が頬側クラウンの位置決め溝と連結されることを特徴とする、嵌入式組合せ固定のブリッジ装置としている。
【０００８】
【発明の実施の形態】
図２〜３は、下顎或いは上顎前端の一つの歯が欠けた場合に適用される本発明の実施例を示す。その装置は、舌側クラウン２５と頬側クラウン３５を具え、且つ舌側クラウン２５は結合部２５２の両側にそれぞれ設けられている。且つ各舌側クラウン２５がそれぞれ一つのアンダカット２５１を具えて欠歯両側の自然歯４５、４６に被せられる。該アンダカット２５１の形状は自然歯４５、４６の舌側面の隆起部に合わせて形成され固定作用を具え、並びに前端の歯の咬合面が斜面状を呈するため、自然歯の適当な位置にはそれぞれ適当なサイズの係止溝４５１、４５２が形成されて舌側クラウン２５に設けられた対応する係止突出部２５４が嵌め込まれ、固定効果を達成すると共に咬合力を分散して欠歯部分の歯肉の損傷を防止する。また、舌側クラウン２５に設けられた結合部２５２の上部に結合孔２５３が設けられている。該舌側クラウン２５に対応する頬側クラウン３５に位置決め溝３５１が設けられて、該位置決め溝３５１が舌側クラウン２５の結合部２５２に套設され、且つ該頬側クラウン３５は欠歯両側の自然歯の態様（即ち近心面及び遠心面（歯の近心面及び遠心面は特定歯の両側面と口腔中心の歯との距離が近いか遠いかで区分される）及び頬側面）に依りアンダカットが形成され並びに結合位置決め溝３５１が形成されているほか、その両側に翼部３５２が設けられて自然歯４５、４６の両側に係止され、該結合位置決め溝３５１は結合部２５２の形状に合わせて形成されるほか、別に結合ネジ孔３５３が設けられて、該結合ネジ孔３５３がネジ５６による舌側クラウン２５の結合孔２５３との結合に供され、こうして舌側クラウン２５が頬側クラウン３５が結合され、その結合部分には樹脂が充填されて隙間が充填され外観が良くされる。
【０００９】
図３は本発明の別の実施態様を示し、図２との違いは、図２では両側の舌側クラウン２５の間に設けられた結合部２５２の上部に設けられた結合孔２５３が、図３では結合部２５２の下部に設けられていることで、頬側クラウン３５に設けられる結合ネジ孔３５３もこれに対応する位置に設けられていることである。
【００１０】
図４、５には本発明の更に別の実施例が示され、舌側クラウン２及び頬側クラウン３で組成され、そのうち、舌側クラウン２は金属材料で形成されているが、当然その他の適当な材料も使用可能であり、且つ患者の欠歯数の違いにより舌側クラウン２の数も異なる。図示されるように、一つ、二つ、四つの欠歯がある場合を示す。そのうち舌側クラウンは第１舌側クラウン２１、第２舌側クラウン２２、第３舌側クラウン２３で組成され、第１舌側クラウン２１は、一体成形された一つのアンダカット２１１に嵌設凹部（該嵌設凹部は患者の欠歯両側の自然歯の口腔舌側に位置する舌側歯面と咬合面の局部形態に対応するよう形成され、即ちいわゆるアンダカットが欠歯両側の自然歯の舌側咬合面を利用して力を分散し、且つ舌側面が自然に形成する歯の隆起部（即ち歯の円弧面）と自然歯両側の近心面と遠心面が発生するアンダカットにより固定作用を形成する）及び一つの結合部２１２が設けられている。このアンダカット２１１と結合部２１２は隣接するよう連接され一体とされ、且つそのうちアンダカット２１１が欠歯に隣接する自然歯４１に套設され、且つ別に結合部２１２にネジ孔２１３が設けられている。ゆえに、該アンダカット２１１を利用して欠歯に隣接する自然歯４１に套設、位置決めされる。次に四つの欠歯部分に隣接する第２舌側クラウン２２は、アンダカット２２１と結合部２２２を具えているほか、アンダカット２１１と一体に、係止突出部２２３を具えたアンダカットと結合部２２５が形成され、このほかアンダカット２２４の係止突出部２２３に対応する係止凹溝４２１が自然歯４２に形成されている。これにより係止突出部２２３を具えたアンダカット２２４が該係止突出部２２３の自然歯４２の係止凹溝４２１との係合により自然歯４２に係止される。さらに欠歯が一つの部分に装着される第３舌側クラウン２３は、アンダカット２３１と結合部２３２を具えているほか、結合部２３２の一端に順に隣接するよう所定の数のアンダカット２３３が一体に形成され（欠歯の近隣にいくつの自然歯が残っているかによりアンダカットの数が決定する）、結合の安定性を増加するため、第３舌側クラウン２３の辺縁に近接するアンダカットの内縁に一体に係止突出部が形成され、アンダカット２３３の係止突出部２３４に対応する自然歯４３に、係止凹溝４３１が形成され、組合せ時には、係止突出部２３４を具えたアンダカット２３３が、その係止突出部２３４を利用し、自然歯４３に形成された係止凹溝４３１に係止される。また、頬側クラウン３は、金属とセラミックが組み合わされて形成されるか、或いはその他の適当な材料で形成され、並びに患者の欠歯数の違いにより、頬側クラウンの数もまた異なり、ここでは上述の舌側クラウンに対応し、一つ、二つ、及び四つの欠歯がある状況について説明する。まず、欠歯が二つの部分の第１頬側クラウン３１は、両側部分に一体に位置決め溝３１１、３１２が形成され、且つ各位置決め溝３１１、３１２にネジ孔３１３が設けられて、第１舌側クラウン２１の結合部２１２に設けられたネジ孔２１３と第２舌側クラウン２２の結合部２２２に形成されたネジ孔２２６に対応し、且つ第１頬側クラウン３１の両端がそれぞれ一体に延伸されて翼部３１４が形成されている。該翼部３１４は欠歯の両側の自然歯４１、４２の内側端面に当接し（即ちクラウンは凹部を具え、この凹部に欠歯両側の自然歯内側面（近心面と遠心面）に当接する翼部が形成される）、第１頬側クラウン３１が自然歯に対して当接状を形成し、且つ該第１頬側クラウン３１に第１舌側クラウン２１と第２舌側クラウン２２が組み合わされ、結合部２１２、２２２が各位置決め溝３１１、３１２内に挿入され、並びにネジ５１、５２で内から外（口腔内から外向き）に、第１頬側クラウン３１のネジ孔３１３が、第１舌側クラウン２１と第２舌側クラウン２２のネジ孔２１３、２２６に横向きに固定され、これに第１頬側クラウン３１に設けられた翼部３１４の欠歯両側の自然歯４１、４２に対する当接が組み合わされ、第１舌側クラウン２１、第２舌側クラウン２２及び第１頬側クラウン３１の三者が強固に自然歯４１、４２に組み合わされ、且つ間隙の存在がない（図５）。次に、四つの欠歯部分に装着される第２頬側クラウン３２は、上述の第１頬側クラウン３１とほぼ同じ構造であるが、仮歯のクラウンの数が多く、そのため長さが増加されて欠歯部分を補うものとされている。組合せ時には、ネジ５３で第２舌側クラウン２２が第２頬側クラウン３２と固定され、第２頬側クラウン３２の両端に形成された翼部３２２が欠歯両側部分の自然歯４２、４３に当接し、これにより第２頬側クラウン３２が水平に欠歯部分を通過不能とされ、ゆえに間隙を発生しない（図５参照）。さらに一つの欠歯部分に装着される第３頬側クラウン３３は、両端に翼部３３１が形成され、並びに該翼部３３１が欠歯両側の自然歯４３、４４に当接し、並びに第１頬側クラウン３１との違いは、両側に設けられた位置決め溝３３２が連通し単一位置決め溝の形態とされたことであり、これにより、組合せ時に、第３頬側クラウン３３がこの単一の位置決め溝３３２を以て第３舌側クラウン２３の結合部２３２を挟持し、この時、第３頬側クラウン３３に設けられた翼部３３１が欠歯に隣接する自然歯４３、４４に当接し、並びにネジ５４による固定で、第３舌側クラウン２３と第３頬側クラウン３３が自然歯４３、４４にしっかりと結合され、さらに別のネジ５５により第３舌側クラウン２３と第２頬側クラウン３２が固定され一体とされている。
【００１１】
図６から図７は上顎或いは下顎の歯床及び歯に実施された状態を示す。そのうち、頬側クラウン３と舌側クラウン２の組合せ方式は図２に示されるものと同じであり、即ち、頬側クラウン３が位置決め溝３１１と翼部３１４及びネジ孔３１３を具え、舌側クラウン２が第１舌側クラウン２１を具え、該第１舌側クラウン２１にアンダカット２１１が設けられて、内から外に横向きに設置され、該第１舌側クラウン２１の結合部２１２が頬側クラウン３の位置決め溝３１１とネジ５６で固定されている。且つ舌側クラウンに設けられたアンダカット２１１は欠歯両側の自然歯の態様に合わせた形態とされて欠歯両端の自然歯の咬合面に套設され、且つ頬側クラウン３の両側にそれぞれ翼部３１４が設けられて欠歯両側の自然歯４１、４２と自然な当接状を呈する。ネジ５６による固定後に、そのネジで固定された部分を充填材料５０で補填することも可能で、また、上顎或いは下顎のこの装置固定部分にも同様に充填材料を補填することが可能である。
【００１２】
【発明の効果】
総合すると、本発明の実施方式と装置は以下のような長所がある。
１．舌側クラウンと頬側クラウンの二つのクラウンが組み合わされ、舌側クラウンが欠歯両側の自然歯態様と咬合面に対応するアンダカットを具え、頬側クラウンの両側に欠歯両側の自然歯の内側の態様（近心面と遠心面）に対応する翼部が設けられて該翼部が欠歯両側の自然歯の両側面に当接、これにより仮歯が欠歯部分を通過不能とされ、且つこれらクラウンが対応して套設されネジ止めされて脱落する恐れがなく、且つ舌側クラウンに設けられた咬合面アンダカットが両側の自然歯に套設され、上下の顎の咬合力が欠歯両側の自然歯に分散され、クラウンブリッジ装置及びネジだけに上下の咬合力が集中せず、ブリッジが陥没して歯肉を損傷したりブリッジを破壊することがなく、ブリッジ装置を装着した患者に自然歯のような自然な咬合効果を提供する。
２．各クラウンの型の製作過程は簡単であり、且つ取り付けの際に患者の自然歯に対する破壊が最低とされ、極めて小さいサイズ（０．２ｍｍ〜０．５ｍｍ）の修正（アンダカット咬合面をもとの自然歯の高さに合わせる）のみ必要であり、患者の自然歯に対する破壊加工が最低まで減らして患者の欠歯部分に装着でき、周知のブリッジのように局部麻酔を使用することがなく、また加工時間を大幅に短縮できる等、多くの長所を有し、従来のブリッジ処理過程が不要で、欠歯両側の自然歯に対する破壊が比較的小さい平行直立状のブリッジ套設方式とされる。
３．本嵌入式組合せ固定のブリッジ装置は、頬側クラウンの翼部が欠歯両側の自然歯の内側の態様（近心面と遠心面）の有する自然な円弧状が発生するアンダカットに対応する形状とされて自然歯の対応側に当接し、並びに舌側クラウンが欠歯両側の自然歯の舌側面、近心面と遠心面、及び咬合面に対応するよう形成された凹部とされ、その特殊な凹部設計により欠歯両側の自然歯上端の咬合面に套設され、ゆえにこの装置は頬側クラウンに設けられた両側の翼部で両側の自然歯内側の隆起部に当接し、また、径方向及び歯面円弧状（歯態）に合わせて凹部が形成されて咬合面を具えた舌側クラウンがネジで頬側クラウンに固定され、これにより完全に脱落防止される。ネジは僅かにクラウン固定用に供され、周知の構造のように咬合面の受力を受けるためのものではなく、ゆえに加工組合せ過程が簡易である。
【００１３】
総合すると、本発明の嵌入式組合せ固定のブリッジ装置は、全体として極めて産業上の実用性とコスト面でのメリットを有し、その構成装置は未公開であり、特許の要件に符合する。なお、以上の実施例は本発明の実施範囲を限定するものではなく、本発明に基づきなしうる細部の修飾或いは改変は、いずれも本発明の請求範囲に属するものとする。
【図面の簡単な説明】
【図１】周知のブリッジ取り付けのために自然歯を削った状態を示す正面図である。
【図２】本発明の実施例の上顎或いは下顎のブリッジの立体分解図である。
【図３】本発明の別の実施例の上顎或いは下顎のブリッジの立体分解図である。
【図４】本発明のさらに別の実施例の立体分解図である。
【図５】本発明の第４実施例の立体組合せ図である。
【図６】本発明のさらに別の実施例の立体分解図である。
【図７】本発明のさらに別の実施例の立体組合せ図である。
【図８】人の全体の歯牙の外観図である。
【符号の説明】
１０　自然歯　　　　　　　　　　　１１　主義歯
１２　補助クラウン　　　　　　　　１２１　嵌め孔
２　舌側クラウン　　　　　　　　　２１　第１舌側クラウン
２１１　アンダカット　　　　　　　２１２　結合部
２１３　ネジ孔　　　　　　　　　　２２　第２舌側クラウン
２２１　アンダカット　　　　　　　２２２　結合部
２２３　係止突出部　　　　　　　　２２４　アンダカット
２２５　結合部　　　　　　　　　　２２６　ネジ孔
２３　第３舌側クラウン　　　　　　２３１　アンダカット
２３２　結合部　　　　　　　　　　２３３　アンダカット
２３４　係止突出部　　　　　　　　２５　舌側クラウン
２５１　アンダカット　　　　　　　２５２　結合部
２５３　ネジ孔　　　　　　　　　　２５４　係止突出部
３　頬側クラウン　　　　　　　　　３１　第１頬側クラウン
３１１　位置決め溝　　　　　　　　３１２　位置決め溝
３１３　ネジ孔　　　　　　　　　　３１４　翼部
３２　第２頬側クラウン　　　　　　３２１　義歯
３２２　翼部　　　　　　　　　　　３３　第３頬側クラウン
３３１　翼部　　　　　　　　　　　３３２　位置決め溝
３５　頬側クラウン　　　　　　　　３５１　位置決め溝
３５２　翼部　　　　　　　　　　　３５３　ネジ
４１、４２、４３、４４、４５、４６　自然歯
４２１、４３１、４５１　係止凹溝
５０　充填材料
５１、５２、５３、５４、５５、５６　ネジ
【図１】
2004049915.tif 000003
【図２】
2004049915.tif 000004
【図３】
2004049915.tif 000005
【図４】
2004049915.tif 000006
【図５】
2004049915.tif 000007
【図６】
2004049915.tif 000008
【図７】
2004049915.tif 000009
【図８】
2004049915.tif 000010